(57)【要約】【課題】大型化することなく、シート収納部を確実に引き込むことのできる画像形成装置を提供する。【解決手段】シート収納部を収容部に装着する際、収容部に揺動自在に設けられた引込み部材１２１を、シート収納部に回動可能に設けられた係止部材１７１と係合しながら揺動させることにより、係止部材１７１を回動させながらシート収納部を収容部内に引込むようにする。さらに、案内部材１０１Ｂに係止部材１７１の引き込み方向の移動を案内する案内溝１５０と、係止部材１７１を案内溝１５０に導くための導入開口部１５１とを設け、シート収納部を装着する際、係止部材１７１を導入開口部１５１から案内溝１５０に導入する。そして、導入開口部１５１のシート収納部装着方向と直交する方向の形成範囲を案内溝１５０のシート収納部装着方向と直交する方向の形成範囲と同じ又はそれ以下とする。【選択図】図５
2008184245.tif 000002
【特許請求の範囲】
【請求項１】
シートを収納するシート収納部を装置本体に設けられた収容部に着脱可能に装着する画像形成装置において、
前記シート収納部に回動可能に設けられた係止部材と、
前記収容部に揺動自在に設けられ、前記シート収納部を前記収容部に装着する際、前記係止部材と係合しながら揺動し、前記係止部材を回動させながら前記シート収納部を収容部内に引込む引込み部材と、
前記係止部材の引き込み方向の移動を案内する案内溝と、前記係止部材を前記案内溝に導くための導入開口部とを有する案内部材と、を備え、
前記導入開口部のシート収納部装着方向と直交する方向の形成範囲を前記案内溝のシート収納部装着方向と直交する方向の形成範囲と同じ又はそれ以下としたことを特徴とする画像形成装置。
【請求項２】
前記案内溝を引込み開始部と、引込み力保持部とにより構成し、
前記引込み開始部を、引込み力保持部側に進むに連れて前記引込み部材の揺動支点から遠ざかる方向に傾斜させて形成し、前記引込み力保持部を前記引込み部材の揺動支点を中心とする円弧状に形成することを特徴とする請求項１記載の画像形成装置。
【請求項３】
前記シート収納部に設けられ、前記シート収納部を装着する際、前記係止部材を前記導入開口部に臨む位置に弾性的に保持する保持部を備えたことを特徴とする請求項１記載の画像形成装置。
【請求項４】
前記導入開口部に、前記係止部材を前記案内溝に導く際、前記係止部材の前記引込み部材との干渉を回避するための干渉回避用開口部を形成し、
前記保持部は、前記係止部材を前記干渉回避用開口部に臨む位置に弾性的に保持することを特徴とする請求項３記載の画像形成装置。
【請求項５】
前記引込み部材をトグル機構に接続し、前記引込み部材が前記導入開口部により前記案内溝に導かれた前記係止部材を係止した後、前記シート収納部を引き込むよう前記トグル機構により前記引込み部材を揺動させることを特徴とする請求項１乃至４のいずれか１項に記載の画像形成装置。
【発明の詳細な説明】
【技術分野】
【０００１】
本発明は、画像形成装置に関し、特にシートを収納するシート収納部を着脱可能に装着するようにしたものに関する。
【背景技術】
【０００２】
従来の複写機、プリンタ、ファクシミリ装置等の画像形成装置においては、シートを収納するシート収納部を装置本体に着脱自在に装着するようにしたものがある。そして、このような画像形成装置では、画像形成時、シート収納部である給紙カセットに収納されたシートを順次画像形成部へ搬送し、画像形成部においてシートへの画像記録を行っている。
【０００３】
ところで、この給紙カセットは、例えばシート充填のため、又はシートサイズの変更のため着脱されるが、シートを充填した後、装着動作を行うと、シート充填後の給紙カセットは重いためユーザーに大きな負担を与える。また、給紙カセットが重い場合、装着の際、力を入れすぎると装着方向の勢いが付くため、装着時に衝撃が生じ、この衝撃により充填されたシートの位置がズレたり又は給紙カセットが破損するという場合がある。
【０００４】
そこで、従来は、例えばカセット収容部内部に引込み装置を設けるようにしている。そして、給紙カセットを挿入する際、この引込み装置に給紙カセットの背面に設けられた係止ピンを係止させ、係止ピンを介して引込み装置により給紙カセットを引込むようにしている（特許文献１参照）。
【０００５】
図８は、このような従来の引込み装置の構成を示すものであり、引込み装置１０１は、揺動可能なトグルアーム１２１と、トグルアーム１２１の揺動支点（中心）となるトグル軸１２４と、トグルバネ１２５を有するトグル機構１０１Ｃを備えている。
【０００６】
トグルアーム１２１は、給紙カセットの係止ピン１７１を掴んだ（係止した）状態で揺動することにより係止ピン１７１を介して給紙カセットを引込むためのものである。なお、このトグルアーム１２１の揺動端部には係止ピン１７１を掴む（係止する）ためのトグル受け部１２２が形成されている。
【０００７】
トグルバネ１２５は、引込み装置本体１０１Ａに設けられた軸１２６及びトグルアームに設けられた連結軸１２３の間に掛けられたものであり、その収縮力によりトグルアーム１２１に回転モーメントを発生させ、給紙カセットを引込む力を生じさせるものである。
【０００８】
このトグルバネ１２５のバネ力の作用方向は、トグルアーム１２１の揺動に伴い連結軸１２３が、トグル軸１２４、軸１２６及び連結軸１２３が直線上に並ぶ中立点を通過すると、反転するようになっている。
【０００９】
なお、トグルアーム１２１は、給紙カセットが挿入されるまでは、トグルバネ１２５が図９の（ａ）に示す中立点より、図９の（ｂ）に示す給紙カセット装着方向上流側に位相が少しずれた位置で待機している。
【００１０】
そして、給紙カセットが挿入され、これに伴い給紙カセットの係止ピン１７１をトグル受け部１２２により掴んだトグルアーム１２１が中立点に向かって揺動すると、やがてトグルアーム１２１はトグルバネ１２５の中立点の位置を超える。ここで、このようにトグルバネ１２５の中立点の位置を超えると、トグルバネ１２５のバネ力により、図１０に示すようにトグルアーム１２１は瞬間的に給紙カセット装着方向下流側に移動し、これにより給紙カセットは給紙可能位置に引込まれる。
【００１１】
このように、トグルバネ１２５により給紙カセットを引き込むようにすることにより、給紙カセット挿入時のユーザーの負担を軽くし、またトグルバネ１２５のバネ力を調整することにより、カセット挿入時のシートの位置ズレや破損といった問題を解決できる。
【００１２】
また、図８において、１５０は引込み装置本体上面に形成された案内溝であり、給紙カセットが引き込まれる際、係止ピン１７１は、この案内溝１５０に沿って移動するようになっている。なお、１５１は、この案内溝１５０に係止ピン１７１を導入するための導入開口部である。
【００１３】
この案内溝１５０は、給紙カセット装着方向と平行で直線形状である引込み開始部１５４と、引込み開始部１５４の給紙カセット装着方向下流側に設けられた引込み力保持部１５５とから構成されている。
【００１４】
ところで、係止ピン１７１が案内溝１５０に沿って移動する場合、給紙カセットが引っ張り込まれるに従い、係止ピン１７１に力を伝達しているトグルアーム１２１の係止ピン１７１に対するモーメント作用点の位置が刻々と変化する。
【００１５】
ここで、案内溝１５０の終盤域が直線状の場合、それまではトグル軸１２４に近づくように移動していた係止ピン１７１に対するモーメント作用点が、トグル軸１２４より離れる方向に移動する。そして、このようにモーメント作用点がトグル軸１２４より離れる方向に移動すると、給紙カセット５２を引き込むための搬送力が弱くなり、引き込み不良を起こすおそれがある。
【００１６】
そこで、トグルアーム１２１のモーメント作用点の位置がトグル軸１２４から一定になるように引込み力保持部１５５は、トグル軸１２４を中心とする略円弧状に湾曲した形状となっている。そして、このように案内溝１５０の終盤域を形成する引込み力保持部１５５を直線形状ではなく湾曲形状にすることにより、案内溝１５０の終盤域における引込み力の低下を防止するようにしている。
【００１７】
【特許文献１】特開２００６−１５１６８７号公報（第１０頁、図３）
【発明の開示】
【発明が解決しようとする課題】
【００１８】
ところで、このような従来の画像形成装置において、給紙カセットを挿入した際、トグル受け部１２２と給紙カセットの係止ピン１７１とが干渉しないようにする必要がある。このため、図１１に示すように、引込み装置１０１の導入開口部１５１には、係止ピン１７１とトグルアーム１２１のトグル受け部１２２との干渉を回避するための干渉回避用開口部１５２が形成されている。
【００１９】
そして、干渉回避用開口部１５２を形成することにより、給紙カセットの挿入の際、係止ピン１７１は給紙カセット装着方向と直交する方向に回動しながらトグル受け部１２２と干渉することなくトグル受け部１２２により掴まれる位置に移動することができる。また、この後、係止ピン１７１は、引込み力保持部１５５において、引込み力保持部１５５の湾曲形状により給紙カセット装着方向と直交する方向（以下、左右方向という）において、引込み幅Ｗ３の範囲で回動する。
【００２０】
つまり、給紙カセットを装着する際、係止ピン１７１の左右方向の全回動範囲Ｗは、式（１）に示すように、干渉回避用開口部１５２における回避幅Ｗ１と、湾曲形状を有する引込み力保持部１５５における引込み幅Ｗ３とを合わせたものとなる。
【００２１】
全回動範囲Ｗ  ＝  回避幅Ｗ１  ＋  引込み幅Ｗ３  …（１）
【００２２】
したがって、引込み装置１０１により給紙カセットが引き込まれるようにするためには、係止ピン１７１を、少なくとも全回動範囲Ｗの範囲で回動可能に給紙カセットに取り付けるようにする必要がある。
【００２３】
また、このような回動範囲を有する係止ピン１７１を、確実に導入開口部１５１を通して案内溝１５０に導入するためには、導入開口部１５１の形成範囲Ｙは、式（２）に示すように係止ピン１７１の全回動範囲Ｗと等しいか、それより大きくなければならない。
【００２４】
導入開口部形成範囲Ｙ  ≧  全回動範囲Ｗ  …（２）
【００２５】
そして、式（１）と式（２）から、導入開口部形成範囲Ｙは式（３）に示すようになる。
【００２６】
導入開口部形成範囲Ｙ  ≧  回避幅Ｗ１  ＋  引込み幅Ｗ３  …（３）
【００２７】
ここで、この式（３）から、左右方向の引込み力保持部１５５の形成範囲が大きくなると、引込み幅Ｗ３も大きくなり、導入開口部形成範囲Ｙが大きくなることが分かる。つまり、引込み力を保持するよう案内溝１５０に湾曲形状の引込み力保持部１５５を設けた場合、導入開口部形成範囲Ｙが大きくなる。ここで、形成範囲とは、導入開口部１５１の開口の左端と右端との左右方向に沿った距離と定義する。
【００２８】
そして、このように導入開口部形成範囲Ｙが大きくなると、引込み装置１０１の導入開口部１５１の幅が広くなってしまい、これに伴い引込み装置１０１が大型化してしまう。つまり、引込み装置１０１の引込み力を保持するよう湾曲形状を有する引込み力保持部１５５を案内溝１５０に設けた場合、引込み装置１０１が大型化し、これに伴い画像形成装置も大型化してしまうという問題があった。
【００２９】
そこで、本発明は、このような現状に鑑みてなされたものであり、大型化することなく、給紙カセット（シート収納部）を確実に引き込むことのできる画像形成装置を提供することを目的とするものである。
【課題を解決するための手段】
【００３０】
本発明は、シートを収納するシート収納部を装置本体に設けられた収容部に着脱可能に装着する画像形成装置において、前記シート収納部に回動可能に設けられた係止部材と、前記収容部に揺動自在に設けられ、前記シート収納部を前記収容部に装着する際、前記係止部材と係合しながら揺動し、前記係止部材を回動させながら前記シート収納部を収容部内に引込む引込み部材と、前記係止部材の引き込み方向の移動を案内する案内溝と、前記係止部材を前記案内溝に導くための導入開口部とを有する案内部材と、を備え、前記導入開口部のシート収納部装着方向と直交する方向の形成範囲を前記案内溝のシート収納部装着方向と直交する方向の形成範囲と同じ又はそれ以下としたことを特徴とするものである。
【発明の効果】
【００３１】
本発明のように、導入開口部のシート収納部装着方向と直交する方向の形成範囲を案内溝のシート収納部装着方向と直交する方向の形成範囲と同じ又はそれ以下とすることにより、大型化することなく、シート収納部を確実に引き込むことができる。
【発明を実施するための最良の形態】
【００３２】
以下、本発明を実施するための最良の形態について図面を用いて詳細に説明する。
【００３３】
図１は、本発明の第１の実施の形態に係る画像形成装置の一例であるレーザビームプリンタ（ＬＢＰ）の概略構成を示す図である。
【００３４】
図１において、１はレーザビームプリンタ本体（以下、プリンタ本体という）であり、このプリンタ本体１は、画像形成部１Ａを備えており、下方にはオプションカセットデッキ５０が設けられている。
【００３５】
ここで、画像形成部１Ａは、電子写真方式により画像形成を行うものであり、トナー像を形成する感光体ドラム７ａ、感光体ドラム７ａに形成されたトナー像をシートＳに転写する転写ローラ９などを備えている。なお、７は、感光体ドラム７ａ、帯電器７ｂ、現像スリーブ７ｃ、クリーナ７ｄを備えたプロセスカートリッジである。
【００３６】
そして、このような構成の画像形成部１Ａにおいて、画像形成動作が開始されると、まずレーザ露光装置８により画像信号に応じたレーザ光が感光体ドラム７ａに照射され、感光体ドラム上に潜像が形成される。次に、この潜像をプロセスカートリッジ７に収納されたトナーで現像することにより、感光体ドラム上にトナー画像（可視像）が形成される。
【００３７】
また、このようなトナー画像形成動作に並行して給紙カセット２から、或はオプションカセットデッキ５０に収納された給紙カセット５２からシートＳが給送される。そして、このシートＳは、搬送ローラ５及びレジストローラ対６によって感光体ドラム７ａに形成された画像と同期をとって感光体ドラム７ａと転写ローラ９とにより構成される転写部に搬送される。この後、この転写部において、転写ローラ９へバイアスを印加することによってトナー画像がシートＳへ転写されるようになっている。
【００３８】
なお、このようなトナー画像が転写されたシートＳは、この後、定着部１０へ搬送され、この定着部１０において加圧・加熱されることによりトナー画像が定着され、さらにこの後、排出ローラ１１によって装置上部の排出部１２へ排出される。
【００３９】
ところで、オプションカセットデッキ５０は、複数の、本実施の形態においては、３つの給紙カセット５２（５２ａ，５２ｂ，５２ｃ）と、給紙カセット上のシートＳを最上側より送り出すピックアップローラ５３（５３ａ，５３ｂ，５３ｃ）とを備えている。
【００４０】
なお、３つのシート収納部である給紙カセット５２は、様々なサイズ・坪量のシートを積載給紙可能に構成されると共に、オプションカセットデッキ５０に着脱可能に装着されるようになっている。また、オプションカセットデッキ５０は、プリンタ本体１の載置台を兼用しており、プリンタ本体１を載せた状態での移動を考慮して下面四箇所にキャスタ５９が取付けられている。
【００４１】
このオプションカセットデッキ５０は、プリンタ本体１から給送信号を受け取ると、その給送信号に適したシートＳを積載した給紙カセット５２を選択し、選択された給紙カセット５２からピックアップローラ５３によりシートＳを給送するようにしている。なお、このようにピックアップローラ５３により送り出されたシートＳは、リタードローラ対５４（５４ａ，５４ｂ，５４ｃ）により１枚ずつ分離された後、搬送ローラ５６（５６ａ，５６ｂ，５６ｃ）によりプリンタ本体１に送り込まれる。
【００４２】
ここで、図２に示すように、給紙カセット５２の、矢印に示す装着方向下流側の側板５２ａの外面には、給紙カセット５２をオプションカセットデッキ内に挿入する際、後述する図３に示す引き込み装置１０１により掴まれる係止ピン１７１が設けられている。この係止部材である係止ピン１７１は、側板５２ａの外面に左右方向に回動自在に設けられた係止アーム１７２に垂設されており、この係止アーム１７２は、後述する図４に示す軸１７４を介して給紙カセット５２に対して左右方向に回動可能となっている。
【００４３】
また、この係止アーム１７２の上面には、矢印に示す給紙カセット５２の側板５２ａの上面に形成された溝５２ｂに挿通され、係止アーム１７２（係止ピン１７１）の回動範囲を規制する突き当て部１７３が垂設されている。
【００４４】
そして、このように給紙カセット５２に形成された溝５２ｂに突き当て部１７３を挿通することにより、係止アーム１７２と共に係止ピン１７１の左右方向の回動可能範囲を制限することができる。ここで、本実施の形態においては、この溝５２ｂ及び突き当て部１７３により、係止ピン１７１の左右方向の回動可能範囲を後述する導入開口部に臨む範囲内に保持する保持部を構成するようにしている。
【００４５】
なお、給紙カセット５２は、図３に示すオプションカセットデッキ５０の収容部５７の内壁に対向して設けられたスライドガイド１３０に沿って収容部５７から引き出される、或は収容部５７に挿入されるようになっている。
【００４６】
そして、給紙カセット５２を収容部５７に挿入する操作はユーザーにより行われる。ここで、このように給紙カセット５２を収容部５７に挿入すると、この後、給紙カセット５２に設けられた係止ピン１７１が収容部５７の後側板に取り付けられた引き込み装置１０１の位置まで到達し、引き込み装置１０１により係止ピン１７１が係止される。この後、係止ピン１７１は引き込み装置１０１により引っ張り込まれ、これにより給紙カセット５２は所定の給紙可能位置まで引き込まれる。
【００４７】
ところで、引込み装置１０１は、図４に示すように、引込み装置本体１０１Ａに揺動自在に設けられたトグルアーム１２１を備えている。そして、給紙カセット５２を装着する際、この引込み部材であるトグルアーム１２１を、係止ピン１７１と係合しながら揺動させることにより、係止ピン１７１を回動させながら給紙カセット５２を収容部内に引込むようにしている。
【００４８】
また、引込み装置１０１は、引込み開始部１５４と、引込み開始部１５４の給紙カセット装着方向下流側に設けられた湾曲部である引込み力保持部１５５とから構成されている引き込み部１５３を有する案内溝１５０を備えている。そして、この案内溝１５０の給紙カセット装着方向上流端には、係止ピン１７１を引込み部１５３に導くための導入開口部１５１が設けられている。
【００４９】
また、この導入開口部１５１には、給紙カセット５２を挿入した際、トグル受け部１２２と給紙カセット５２の係止ピン１７１との干渉を回避する干渉回避用開口部１５２が形成されている。そして、この干渉回避用開口部１５２の給紙カセット装着方向下流側に、直線部である引込み開始部１５４が形成されている。なお、図４において、１０１Ｂは、これら案内溝１５０、干渉回避用開口部１５２が形成された導入開口部１５１を有する案内部材である引込み装置本体１０１Ａの下面板である。
【００５０】
ここで、本実施の形態において、この引込み開始部１５４は、給紙カセット装着方向下流側に進むに連れてトグルアーム１２１から遠ざかる方向に傾斜した直線形状となっている。そして、この引込み開始部１５４の傾斜量Ｗ２は、図５に示すように、係止ピン１７１が通過する際、係止ピン１７１の左右方向における回動範囲が、係止ピン１７１が干渉回避用開口部１５２を通過する際の回動範囲Ｗ１と同じになっている。
【００５１】
また、引込み力保持部１５５は、引込み開始部１５４の給紙カセット装着方向下流側に進むに連れて揺動支点であるトグル軸１２４を中心とする円弧状に湾曲した形状となっている。なお、引込み開始部１５４の形状は、引込み開始部１５４の引込み力保持部側を引込み力保持部１５５の湾曲形状を延長した円弧状に形成し、導入開口部１５１側を給紙カセット装着方向と平行な直線形状としてもよい。
【００５２】
そして、このような構成の引込み装置１０１において、給紙カセット５２が挿入され、係止ピン１７１が導入開口部１５１に達すると、導入開口部１５１に設けられた干渉回避用開口部１５２において、係止ピン１７１は左右方向に回避幅Ｗ１の範囲で回動する。
【００５３】
この後、給紙カセット５２がさらに挿入されると、係止ピン１７１は、トグル機構１０１Ｃに接続され、トグルアーム１２１のトグル受け部１２２に掴まれながらトグルアーム１２１と一体で引込み開始部１５４を移動する。このとき、係止ピン１７１は、左右方向において、既述したように傾斜幅Ｗ２（＝回避幅Ｗ１）の範囲で回動しながら移動する。
【００５４】
さらに、この後、係止ピン１７１は、トグル機構１０１Ｃにより引込み力保持部１５５において左右方向に引込み幅Ｗ３の範囲で回動しながら引込み力保持部内に引き込まれ、これにより給紙カセット５２は所定の給紙可能位置まで引き込まれるようになる。
【００５５】
なお、図５において、Ｗは給紙カセット５２が給紙可能位置まで引き込まれるまでの係止ピン１７１の全回動範囲を示しており、この全回動範囲Ｗは式（４）に示すように、左右方向において、回避幅Ｗ１と傾斜幅Ｗ２と引込み幅Ｗ３とを合わせたものとなる。
【００５６】
全回動範囲Ｗ  ＝  回避幅Ｗ１  ＋  傾斜幅Ｗ２  ＋  引込み幅Ｗ３  …（４）
【００５７】
ここで、既述したように回避幅Ｗ１と傾斜幅Ｗ２は等しく、また回動方向が反対のため回避幅Ｗ１と傾斜幅Ｗ２との和は０となることから、全回動範囲Ｗは式（５）に示すようになる。
【００５８】
全回動範囲Ｗ  ＝  引込み幅Ｗ３  …（５）
【００５９】
また、図５において、Ｙは導入開口部１５１の左右方向の形成範囲を示しており、係止ピン１７１が導入開口部１５１を通過して引込み部１５３に導入されるためには、導入開口部形成範囲Ｙは、全回動範囲Ｗと同等とする必要がある。ここで、この導入開口部１５１の形成範囲Ｙは、シート収納部装着方向と直交する方向における導入開口部１５１の左端と右端との距離とする。
【００６０】
したがって、上記式（４）及び式（５）から、導入開口部形成範囲Ｙは式（６）に示すようになる。
【００６１】
導入開口部形成範囲Ｙ  ＝  引込み幅Ｗ３  …（６）
【００６２】
このように、本実施の形態においては、引込み開始部１５４をトグルアーム１２１から遠ざかる方向に傾斜させることにより、導入開口部１５１の給紙カセット装着方向（引き込み方向）における形成範囲で案内溝１５０を湾曲させるようにしている。
【００６３】
つまり、導入開口部１５１の左右方向の形成範囲を案内溝１５０の左右方向の形成範囲、即ち引込み幅Ｗ３と同じにしている。ここで、案内溝１５０の左右方向の形成範囲とは、左右方向における案内溝１５０の最大左端１５５ａと最大右端１５５ｂとの間の左右方向に沿った距離とする。
【００６４】
また、本実施の形態においては、既述したように溝５２ｂ及び突き当て部１７３によって構成された保持部により、給紙カセット５２を装着する際、係止ピン１７１の左右方向の回動可能範囲を導入開口部１５１に臨む範囲内に保持するようにしている。
【００６５】
そして、このように構成することにより、引込み装置１０１及びこれを備えたレーザビームプリンタ（画像形成装置）を大型化することなく、給紙カセット５２を確実に引き込むことができる。
【００６６】
次に、本発明の第２の実施の形態について説明する。
【００６７】
図６は、本実施の形態に係る引込み装置１０１により引き込まれる給紙カセット５２の構成を示す斜視図である。なお、図６において、既述した図２と同一符号は、同一又は相当部分を示している。
【００６８】
図６において、１７５は給紙カセット５２が引込み装置１０１により引き込まれる際、係止ピン１７１をトグルアーム１２１から遠ざかる方向に付勢する係止バネである。そして、この係止バネ１７５により、給紙カセット装着の前、係止アーム１７２は突き当て部１７３が給紙カセット５２に形成された溝５２ｂにトグルアーム１２１から遠ざかる方向に突き当たっている状態に保持される。
【００６９】
なお、このように係止アーム１７２が保持される位置は係止ピン１７１が干渉回避用開口部１５２に臨む位置である。即ち、本実施の形態においては、回動可能な係止ピン１７１は、突き当て部１７３及び溝５２ｂと共に保持部を構成する係止バネ１７５により、弾性的に干渉回避用開口部１５２に臨む位置に保持される。
【００７０】
なお、本実施の形態において、この溝５２ｂは既述した第１の実施の形態と異なり、少なくとも係止バネ１７５により、係止ピン１７１を干渉回避用開口部１５２に臨む位置に保持させる形状を有していれば良い。
【００７１】
また、図７に示すように、干渉回避用開口部１５２の給紙カセット装着方向下流側に形成される引込み部１５３は、給紙カセット装着方向と平行な引込み開始部１５４と、円弧状に湾曲した引込み力保持部１５５から構成されている。
【００７２】
ここで、導入開口部１５１は、左右方向において、導入開口部１５１の導入開口部形成範囲Ｙが干渉回避用開口部１５２の回避幅Ｗ１（図５参照）だけトグルアーム１２１から遠ざかる方向に移動した位置に形成されている。
【００７３】
しかし、既述したように係止ピン１７１は、係止バネ１７５によって干渉回避用開口部１５２に臨む位置に保持されているため、給紙カセット５２を装着する際、係止ピン１７１は、干渉回避用開口部１５２から引込み部１５３に導入されていくようになる。
【００７４】
そして、このように構成することにより、係止ピン１７１の全回動範囲Ｗに関係なく、干渉回避用開口部１５２を含む導入開口部１５１の形成範囲Ｙは、係止ピン１７１の径Ｒと略同等とすることができる。また、係止ピン１７１の径Ｒは、全回動範囲Ｗよりも小さいことから、係止ピン１７１を係止バネ１７５により付勢するようにすると、導入開口部形成範囲Ｙを全回動範囲Ｗより小さくすることができる。
【００７５】
このように、本実施の形態では、給紙カセット５２を装着する際、係止ピン１７１を干渉回避用開口部１５２に臨む範囲内に保持することにより、干渉回避用開口部１５２を含む導入開口部１５１の形成範囲を案内溝１５０の形成範囲以下とすることができる。これにより、引込み装置１０１及びこれを備えたレーザビームプリンタ（画像形成装置）を大型化することなく、給紙カセット５２を確実に引き込むことができる。
【図面の簡単な説明】
【００７６】
【図１】本発明の第１の実施の形態に係る画像形成装置の一例であるレーザビームプリンタ（ＬＢＰ）の概略構成を示す図。
【図２】上記レーザビームプリンタに装着される給紙カセットと、給紙カセットを引き込む引込み装置を示す斜視図。
【図３】上記給紙カセットがプリンタ本体から引き出された状態を示す斜視図。
【図４】上記引込み装置の構成を示す下方斜視図。
【図５】上記引込み装置に設けられた導入開口部の形成範囲、給紙カセットに設けられた係止ピンの全回動範囲、回避幅、傾斜幅及び引込み幅を示す図。
【図６】本発明の第２の実施の形態に係る画像形成装置に装着される給紙カセットと、給紙カセットを引き込む引込み装置を示す斜視図。
【図７】上記引込み装置に設けられた導入開口部の形成範囲、給紙カセットに設けられた係止ピンの全回動範囲を示す図。
【図８】従来の引込み装置の構成を示す下方斜視図。
【図９】従来の引込み装置の給紙カセット引込み動作を説明する第１の図。
【図１０】従来の引込み装置の給紙カセット引込み動作を説明する第２の図。
【図１１】上記引込み装置に設けられた導入開口部の形成範囲、給紙カセットに設けられた係止ピンの全回動範囲、回避幅、傾斜幅及び引込み幅を示す図。
【符号の説明】
【００７７】
１        レーザビームプリンタ本体
１Ａ      画像形成部
５０      オプションカセットデッキ
５２ｂ    溝
５２      給紙カセット
５７      収容部
１０１    引込み装置
１０１Ｂ  引込み装置本体の下面板
１０１Ｃ  トグル機構
１２１    トグルアーム
１２４    トグル軸
１２５    トグルバネ
１５０    案内溝
１５５ａ  案内溝の最大左端
１５５ｂ  案内溝の最大右端
１５１    導入開口部
１５２    干渉回避用開口部
１５４    引込み開始部
１５５    引込み力保持部
１７１    係止ピン
１７３    突き当て部
１７５    係止バネ
Ｓ        シート
Ｙ        導入開口部形成範囲
Ｗ        係止ピンの全回動範囲
Ｗ３      引込み幅
【図１】
2008184245.tif 000003
【図２】
2008184245.tif 000004
【図３】
2008184245.tif 000005
【図４】
2008184245.tif 000006
【図５】
2008184245.tif 000007
【図６】
2008184245.tif 000008
【図７】
2008184245.tif 000009
【図８】
2008184245.tif 000010
【図９】
2008184245.tif 000011
【図１０】
2008184245.tif 000012
【図１１】
2008184245.tif 000013